(57)【要約】  【課題】開閉体の動作を安定させることができる開閉装置を提供する。  【解決手段】開閉装置１は、案内体５に沿って移動して開口部３を開閉する開閉体11と、案内体５の水平案内部８と略平行に位置するレール体21とを備える。開閉装置１は、レール体21に沿って走行する走行体31と、走行体31と開閉体11とを連結する連結体35とを備える。レール体21の一端側には、開口部３の閉鎖時に走行体31と当接して開閉体11の速度を減少させる第１緩衝体41を設ける。レール体21の他端側には、開口部３の開口時に走行体31と当接して開閉体11の速度を減少させる第２緩衝体42を設ける。  【選択図】図１
2005220683.tif 000002
【特許請求の範囲】
【請求項１】
案内体と、
この案内体にて案内されながら移動して開口部を開閉する開閉体と、
前記案内体の一部と略平行に位置するレール体と、
このレール体に沿って走行する走行体と、
この走行体と前記開閉体とを連結する連結体と、
前記開口部の閉鎖時に前記走行体と当接して前記開閉体の速度を減少させる第１緩衝体と、
前記開口部の開口時に前記走行体と当接して前記開閉体の速度を減少させる第２緩衝体と
を備えることを特徴とする開閉装置。
【請求項２】
走行体は、走行方向一端側に第１緩衝体と当接する第１当接部を有し、走行方向他端側に第２緩衝体と当接する第２当接部を有する
ことを特徴とする請求項１記載の開閉装置。
【請求項３】
開閉体を人力で移動させることにより開口部を開閉する手動開閉式である
ことを特徴とする請求項１または２記載の開閉装置。
【発明の詳細な説明】
【技術分野】
【０００１】
本発明は、開閉体の動作を安定させることができる開閉装置に関するものである。
【背景技術】
【０００２】
従来、例えば互いに離間対向して位置する一対の案内体と、案内体に沿って移動して開口部を開閉する開閉体と、案内体の水平案内部と略平行に位置する水平状のレール体と、レール体に沿って走行する走行体と、走行体と開閉体の上端部とを連結する連結体とを備えたオーバーヘッドドア等の開閉装置１が知られている（例えば、特許文献１参照）。
【特許文献１】実用新案登録第２５６５３０９号公報
【発明の開示】
【発明が解決しようとする課題】
【０００３】
しかしながら、上記従来の開閉装置では、例えば操作者が人力で開閉体を移動させることにより開口部を開閉する場合等には、操作者による操作速度が速すぎると、開閉体の動作が不安定となるおそれがある。
【０００４】
本発明は、このような点に鑑みなされたもので、開閉体の動作を安定させることができる開閉装置を提供することを目的とする。
【課題を解決するための手段】
【０００５】
請求項１記載の開閉装置は、案内体と、この案内体にて案内されながら移動して開口部を開閉する開閉体と、前記案内体の一部と略平行に位置するレール体と、このレール体に沿って走行する走行体と、この走行体と前記開閉体とを連結する連結体と、前記開口部の閉鎖時に前記走行体と当接して前記開閉体の速度を減少させる第１緩衝体と、前記開口部の開口時に前記走行体と当接して前記開閉体の速度を減少させる第２緩衝体とを備えるものである。
【０００６】
そして、開口部の閉鎖時に開閉体の速度を減少させる第１緩衝体および開口部の開口時に開閉体の速度を減少させる第２緩衝体を備えるため、開閉体の動作が安定する。
【０００７】
請求項２記載の開閉装置は、請求項１記載の開閉装置において、走行体は、走行方向一端側に第１緩衝体と当接する第１当接部を有し、走行方向他端側に第２緩衝体と当接する第２当接部を有するものである。
【０００８】
そして、走行体の第１当接部と第１緩衝体とを当接させたり走行体の第２当接部と第２緩衝体とを当接させたりすることにより、開閉体の動作の安定化を適切に図ることが可能となる。
【０００９】
請求項３記載の開閉装置は、請求項１または２記載の開閉装置において、開閉体を人力で移動させることにより開口部を開閉する手動開閉式であるものである。
【００１０】
そして、操作者による操作速度に拘わらず、開閉体の安定した動作を得ることが可能となる。
【発明の効果】
【００１１】
請求項１の発明によれば、開口部の閉鎖時に開閉体の速度を減少させる第１緩衝体および開口部の開口時に開閉体の速度を減少させる第２緩衝体を備えるため、開閉体の動作を安定させることができる。
【００１２】
請求項２の発明によれば、走行体の第１当接部と第１緩衝体とを当接させたり走行体の第２当接部と第２緩衝体とを当接させたりすることにより、開閉体の動作の安定化を適切に図ることができる。
【００１３】
請求項３の発明によれば、操作者による操作速度に拘わらず、開閉体の安定した動作を得ることができる。
【発明を実施するための最良の形態】
【００１４】
本発明の開閉装置の一実施の形態を図面を参照して説明する。
【００１５】
図１において、１は開閉装置で、この開閉装置１は、例えば車庫に設置され車庫の収容空間２の前面開口である開口部３を人力で開閉する手動開閉式のオーバーヘッドドアである。
【００１６】
そして、開閉装置１は、互いに離間対向して位置する側面視略Ｌ字状の左右一対の案内体５を備えている。各案内体５は、開口部３の両側に位置する上下方向長手状の第１案内部である垂直案内部６と、この垂直案内部６の上端に円弧状案内部７を介して連設され車庫の天井近傍位置にその天井に沿って位置する前後方向長手状の第２案内部である水平案内部８とを有している。
【００１７】
また、開閉装置１は、両案内体５間の位置において案内体５に沿って案内体５にて案内されながら開口部３および収容空間２の天井に面した部分間で移動して開口部３を開閉する移動可能な略面状の開閉体11を備えている。開閉体11は、開口部３の閉鎖時には開口部３に沿って下降して略全体が両垂直案内部６間に位置した閉鎖状態となって開口部３を閉鎖し、開口部３の開口時には開口部３に沿って上昇して略全体が両水平案内部８間に位置した開口状態となって開口部３を開口させる。
【００１８】
そして、開閉体11は、互いに回動可能に連結された複数枚のパネル12にて構成された略矩形板状の開閉体本体部13を有している。開閉体本体部13の左右方向両端側には複数のローラ部14が回転可能に設けられ、各ローラ部14は案内体５内に位置してこの案内体５に沿って回転しながら移動する。
【００１９】
さらに、開閉装置１は、図２ないし図４にも示すように、左右一対の案内体５の水平案内部８間の中央上方位置において水平案内部８と略平行に位置する前後方向長手状で水平状の１本のレール体（トロリーレール）21を備えている。なお、両水平案内部８間の中央上方位置における上方位置とは、開閉体11の開放方向（開方向）にあたる位置である。
【００２０】
レール体21は、間隙22を介して互いに離間対向して位置し水平板部23aおよび垂直板部23bを有する左右一対の断面Ｌ字状のレール構成部材23等にて構成されたもので、このレール体21の開口部３側である前端側には回転体である第１スプロケット25が設けられている。また、レール体21の反開口部３側である後端側には回転体である第２スプロケット26が設けられ、これら前後に互いに離間対向したスプロケット25，26には無端体（作動体）である無端チェーン（トロリーチェーン）30が回行可能に掛け渡され、この無端チェーン30はレール体21に沿って配設されている。
【００２１】
また、この無端チェーン30の下側部分には、無端チェーン30の下側部分と一体となって走行方向である前後方向に移動しながらレール体21上をこのレール体21に沿ってスライド走行する略板状の走行体（トロリー）31が設けられている。
【００２２】
走行体31は、レール体21の水平板部23a上をスライド走行する略矩形板状のスライド板部32を有し、このスライド板部32の下部にはチェーン係合部33が設けられ、このチェーン係合部33に無端チェーン30が係脱可能に係合している。スライド板部32の走行方向一端部である前端部が第１当接部36となっており、スライド板部32の走行方向他端部である後端部が第２当接部37となっている。なお、係脱用操作手段34の操作により無端チェーン30と走行体31のチェーン係合部33との係脱が可能となっている。
【００２３】
そして、走行体31と開閉体11の上端部とは連結体35にて連結され、走行体31は開閉体11の開閉動作である移動に連動してレール体21上を走行する。なお本実施形態においては、連結体35は、複数枚のパネル12のうちの最上部に位置するパネル12の上端部（換言すれば、開放方向先端のパネル12の開放方向先端部）に設けられている。
【００２４】
また、開閉装置１は、開口部３の閉鎖時に走行体31の第１当接部36とロッド38を介して当接し、圧縮方向への弾性変形により走行体31との衝撃力を吸収しながら開閉体11の閉方向への移動速度を減少させる弾性変形可能な第１緩衝体41、例えばコイルばね等の弾性体を備えている。この第１緩衝体41は、レール体21の前端側に固着されたブラケット43に移動可能に支持されたロッド38の外周側に装着されている。
【００２５】
さらに、開閉装置１は、開口部３の開口時に走行体31の第２当接部37とロッド39を介して当接し、圧縮方向への弾性変形により走行体31との衝撃力を吸収しながら開閉体11の開方向への移動速度を減少させる弾性変形可能な第２緩衝体42、例えばコイルばね等の弾性体を備えている。この第２緩衝体42は、レール体21の後端側に固着されたブラケット44に移動可能に支持されたロッド39の外周側に装着されている。
【００２６】
また一方、開閉装置１は、開閉体11を上方に付勢して人力による開閉体11の開方向への移動を補助する付勢手段45を備え、この付勢手段45は、回転軸46、一端が回転軸46に取り付けられ他端が開閉体11の下端両側に取り付けられたワイヤ47および回転軸46を付勢するスプリング48等にて構成されている。
【００２７】
また、図５に示すように、開閉体11の閉方向先端側である下端側には開閉体11を引き下げるための帯状の操作紐51の一端部が取り付けられ、この操作紐51の他端部には略Ｊ字状のフック52が取り付けられている。操作紐51の一端部近傍にはフック52を引っ掛ける引掛孔53が形成され、開口部３の閉鎖時にはフック52が引掛孔53に引っ掛けられて操作紐51が略半分の長さに折り畳まれた状態となる。なお、開閉体11の下端側には、操作紐51に近接して手掛け55および施錠手段56が設けられている。
【００２８】
次に、上記一実施の形態の動作等を説明する。
【００２９】
車庫の収容空間２の開口部３を開口させる場合、操作者は、フック52を引掛孔53から出した後、手掛け55に手を掛け、開閉体11を持上げるように上方に移動させる。この際、付勢手段45が開閉体11を上方に付勢するため、操作者は開閉体11を比較的軽く持上げることができる。
【００３０】
そして、開閉体11が所定量移動した時点で、走行体31の第２当接部37がロッド39を介して第２緩衝体42に当接し、最終的には走行体31は圧縮弾性変形した第２緩衝体42と当接した状態となって停止する（図４参照）。この際、第２緩衝体42は、圧縮方向への弾性変形に基づき走行体31との衝撃力を吸収しながら開閉体11の開方向への移動速度を減少させるため、開閉体11の開動作が安定する。
【００３１】
一方、開口部３を閉鎖する場合、操作者は、開閉体11の下端側から垂れ下がった操作紐51を把持して開閉体11をやや引き下げた後、手掛け55に手を掛け、開閉体11を下方に移動させる。
【００３２】
そして、開閉体11が所定量移動した時点で、走行体31の第１当接部36がロッド38を介して第１緩衝体41に当接し、最終的には開閉体11の下端が車庫の底面等の被当接面に当接した状態で、走行体31は圧縮弾性変形した第１緩衝体41と当接した状態となって停止する（図２参照）。この際、第１緩衝体41は、圧縮方向への弾性変形に基づき走行体31との衝撃力を吸収しながら開閉体11の開方向への移動速度を減少させるため、開閉体11の閉動作が安定する。なお、操作者は、開閉体11を移動させた後、フック52を引掛孔53に引っ掛けることにより操作紐51を邪魔にならないよう折り畳んでおく。
【００３３】
このように上記開閉装置１によれば、開口部３の閉鎖時に走行体31と当接して開閉体11の速度を減少させるストッパ手段である第１緩衝体41および開口部３の開口時に走行体31と当接して開閉体11の速度を減少させるストッパ手段である第２緩衝体42を備えるため、操作者による操作速度に拘わらず、開閉体11の動作を安定させることができ、また施錠手段56および付勢手段45等の部品の耐久性を向上させることもできる。
【００３４】
なお、図６に示すように、フック52および引掛孔53の代わりに、操作紐51の一端部近傍にコ字枠61を設け、かつ操作紐51の他端部にそのコ字枠61と係脱可能に係合する係合部材62を収納部63に出入り自在に設けるようにしてもよい。なお、引掛孔53やコ字枠61を操作紐51ではなく開閉体11に設けるようにしてもよく、また図示しないが先端側を可動式にしたフックを用いたものや、マグネットを用いたもの、或いは、バックの紐、台所の戸棚等に使用されているラッチ式のもの等でもよい。
【００３５】
また、第１緩衝体41および第２緩衝体42は、コイルばね等の弾性体からなるものには限定されず、例えばエアシリンダ、エアダンパ、或いはゴム等にて構成されたもの等でもよい。
【００３６】
さらに、開閉装置１は、住宅の車庫用のオーバーヘッドドアには限定されず、例えばトラックの荷台に設置する車両用のオーバーヘッドドア等でもよい。
【００３７】
また、開閉装置１は、走行体31と連結体35が（もっと言えば開閉体11とも）渾然一体となっていて各々の区別が明確でないような構成のものでもよい。
【００３８】
さらに、開閉装置１は、手動開閉式には限定されず、電動式等の自動開閉式でもよい。レール体21に沿って回行する無端体である無端チェーン30は、自動開閉式の場合には必要であるが、手動開閉式の場合には必須ではない。ただ、開閉時に無端チェーン30が邪魔にならないようにしておく（例えば干渉しないように配置しておく）こととすれば、例えば手動と自動とで部品を共通にする等の理由から無端チェーン30を設けておいてもよい。
【図面の簡単な説明】
【００３９】
【図１】本発明の開閉装置の一実施の形態の斜視図である。
【図２】同上開閉装置のトロリー部分の全閉時の平面図である。
【図３】同上開閉装置のトロリー部分の全閉時の側面図である。
【図４】同上開閉装置のトロリー部分の全開時の平面図である。
【図５】同上開閉装置の開閉体に装着された操作紐の斜視図である。
【図６】同上操作紐の変形例を示す斜視図である。
【符号の説明】
【００４０】
１    開閉装置
３    開口部
５    案内体
11    開閉体
21    レール体
31    走行体
35    連結体
36    第１当接部
37    第２当接部
41    第１緩衝体
42    第２緩衝体
【図１】
2005220683.tif 000003
【図２】
2005220683.tif 000004
【図３】
2005220683.tif 000005
【図４】
2005220683.tif 000006
【図５】
2005220683.tif 000007
【図６】
2005220683.tif 000008